(57)【特許請求の範囲】
【請求項１】
任意のタイミングにてＯＮ状態及びＯＦＦ状態の間での変位操作が可能な操作手段と、
前記操作手段が前記ＯＦＦ状態にあるとき第１解像度の撮影動画像データを出力し、前記操作手段の前記ＯＦＦ状態から前記ＯＮ状態への変位操作が行われたとき前記第１解像度よりも高い第２解像度の撮影静止画像データを出力するデータ出力手段と、
前記操作手段が前記ＯＦＦ状態にあるときに前記データ出力手段から出力された撮影動画像データを内部メモリを介してモニタに出力する動画像出力処理手段と、
前記操作手段の前記ＯＦＦ状態から前記ＯＮ状態への変位操作に伴って前記データ出力手段から出力された撮影静止画像データを前記内部メモリを介して記録媒体に記録する記録手段と、
前記撮影静止画像データを前記モニタに出力する静止画像出力処理手段と、
前記操作手段が前記ＯＮ状態から前記ＯＦＦ状態に戻されたか否かを繰り返し判別する判別動作を前記静止画像出力処理手段が処理を開始する前に開始する判別手段と、
前記判別手段の判別結果が否定的である期間に前記静止画像出力処理手段の処理を許可する許可手段と、
前記判別手段の判別結果が肯定的であるとき前記静止画像出力処理手段の処理を阻止する阻止手段とを備える、電子カメラ。
【請求項２】
前記操作手段の前記ＯＦＦ状態から前記ＯＮ状態への変位操作に伴って既定画像データを前記モニタに出力する既定画像出力手段をさらに備え、
前記判別手段は前記既定画像データの出力後でかつ前記静止画像出力手段が処理を開始する前に前記判別動作を開始する、請求項１記載の電子カメラ。
【発明の詳細な説明】
【０００１】
【発明の属する技術分野】
本発明は、レリーズボタンを押圧して、このタイミングで取り込まれた画像データをメモリカード等の記録媒体に格納でき、記録用に取り込まれた画像データをフリーズ画像としてモニタに表示できるディジタルスチルカメラ等の電子カメラに関する。
【０００２】
【従来の技術】
ディジタルスチルカメラ等の電子カメラでは、カメラモードにおいてカメラモニタにＣＣＤイメージャから出力される画像データを順次表示してスルー画像表示を行い、撮影者が任意のタイミングでレリーズボタンを押圧すると、この押圧直後に得られる1フレーム分の画像データがメモリに格納され、この画像データが画像圧縮された後にメモリカードに記録される。
【０００３】
従来、この記録対象の1フレーム分の画像データを圧縮してメモリカードへ記録するまでの記録処理に要する時間（例えば1秒間）において、次の画像の取り込みが不可能であるので、この時間を利用して記録用に取り込んだ１フレーム分の画像データをモニタ表示して、記録された画像が適当であるか否かを撮影者が確認できるように構成されていた。
【０００４】
【発明が解決しようとする課題】
しかしながら、近年、信号処理の高速化、メモリカードの高性能化に伴い、画像圧縮及びメモリカードへの書き込みに要する時間が非常に短くなってきており、フリーズ画像の表示時間をこの記録処理時間に合わせると、確認用の画像が一瞬しか表示されず、満足な確認動作が不可能となる。そこで、記録処理に要する時間に関係なく固定の時間、例えば1秒間の確認時間を設けることで的確な確認動作が可能にできる。
【０００５】
しかしながら、十分に長い固定のフリーズ画像表示時間を設定すると、確認を所望しない撮影者に対しても確認時間を強制的に設定することになり、記録処理時間が短縮されて撮影可能間隔が短くなり、次のシャッタチャンスが速く得られるにもかかわらず、フリーズ画像表示時間が終了しないと次の撮影が出来ないといった不都合が生じる。
【０００６】
【課題を解決するための手段】
この発明の電子カメラは、任意のタイミングにてＯＮ状態及びＯＦＦ状態の間での変位操作が可能な操作手段と、操作手段がＯＦＦ状態にあるとき第１解像度の撮影動画像データを出力し、操作手段のＯＦＦ状態からＯＮ状態への変位操作が行われたとき第１解像度よりも高い第２解像度の撮影静止画像データを出力するデータ出力手段と、操作手段がＯＦＦ状態にあるときにデータ出力手段から出力された撮影動画像データを内部メモリを介してモニタに出力する動画像出力処理手段と、操作手段のＯＦＦ状態からＯＮ状態への変位操作に伴ってデータ出力手段から出力された撮影静止画像データを内部メモリを介して記録媒体に記録する記録手段と、撮影静止画像データをモニタに出力する静止画像出力処理手段と、操作手段がＯＮ状態からＯＦＦ状態に戻されたか否かを繰り返し判別する判別動作を静止画像出力処理手段が処理を開始する前に開始する判別手段と、判別手段の判別結果が否定的である期間に静止画像出力処理手段の処理を許可する許可手段と、判別手段の判別結果が肯定的であるとき静止画像出力処理手段の処理を阻止する阻止手段とを備える。
【０００７】
【発明の実施の形態】
以下、図面に従い本発明の一実施例を説明する。図１は本実施例に係わるディジタルカメラの全体のブロック図であり、１２はレンズ（図示省略）を経て入射される入射光をカメラ信号に光電変換するＣＣＤイメージャであり、このＣＣＤイメージャ１２の前面には、図示しない色フィルタが装着される。被写体の光像は、この色フィルタを通してＣＣＤイメージャ１２に照射される。
【０００８】
撮影者がモード設定スイッチ５６をカメラ側に設定すると、システムコントローラ（シスコン）５２が、カメラモードを設定する。すると、ＣＰＵ４６がシスコン５２からの制御信号を受けてシグナルジェネレータ（ＳＧ）１６を起動し、ＳＧ１６から水平同期信号および垂直同期信号が出力される。
【０００９】
ＴＧ１４は、出力された水平同期信号および垂直同期信号に基づいてタイミング信号を生成し、ＣＣＤイメージャ１２をプログレッシブスキャン方式で駆動する。ＣＣＤイメージャ１２は垂直ライン数が“１０２４”で水平画素数が“７６８”のイメージャであり、この結果、ＸＧＡ解像度のカメラ信号（高解像度カメラ信号）が出力される。尚、各フレームのカメラ信号の出力には、１／１５秒かかる。
【００１０】
ＣＣＤイメージャ１２から出力されたカメラ信号は、各画素がＲ、Ｇ、Ｂのいずれか１つの色成分をもつ信号である。このようなカメラ信号に、ＣＤＳ／ＡＧＣ回路１３で周知のノイズ除去およびレベル調整を施され、その後Ａ／Ｄ変換器２０でディジタル信号であるカメラデータに変換され、後段の信号処理回路２２に出力される。
【００１１】
信号処理回路２２は、Ａ／Ｄ変換器２０から出力されたカメラデータから輝度（Ｙ）と２種類の色差（ＵＶ）データのＹＵＶデータ（高解像度ＹＵＶデータ）を生成する。
【００１２】
スイッチＳＷ１は、ＣＰＵ４６の指令により、間引き回路２４側の固定接点２５ａと信号処理回路２２側の固定接点２５ｂに選択的に切り換わり、同様に後述のスイッチＳＷ２はバッファ２６ｂ側の固定接点２７ａと黒画像発生回路４１側の固定接点２７ｂに選択的に切り換わる。
【００１３】
間引き回路２４は、被写体のリアルタイムの動画像（スルー画像）をモニタ４３に表示するためのスルー画像の出力時に能動化され、Ａ／Ｄ変換器２０から出力された高解像度ＹＵＶデータは、間引き回路２４で間引き処理を施され、垂直ライン数“７６８”、水平画素数“４８０”のＹＵＶデータ（低解像度ＹＵＶデータ）に変換される。但し、間引かれた分だけ画素データがつめられることはなく、低解像度ＹＵＶデータを構成する画素データは、間欠的に出力される。
【００１４】
また、スルー画像表示に際しては、ＣＰＵ４６の指示によりスイッチＳＷ１、ＳＷ２は、それぞれ固定接点２５ａ、２７ａに接続され、間引き処理２４から出力された低解像度ＹＵＶデータは、スイッチＳＷ１を介してバッファ２６ａに与えられる。バッファ２６ａは、１２８画素分のＹＵＶデータに相当する容量を有するデュアルポートのＳＲＡＭにより構成される。低解像度ＹＵＶデータは、信号処理回路２２に設けられたバッファ書き込み回路２２ａによって、連続的にバッファ２６ａに書き込まれる。つまり、間引きによる画素の欠落部分がなくなるように、画素データがつめられる。これによって、画素ピッチが間引き処理前と等しくなる。
【００１５】
バッファ２６ａに書き込まれたＹＵＶデータは、後続のＹＵＶデータによって上書きされる前に、メモリ制御回路３０によって読み出される。メモリ制御回路３０は、読み出されたＹＵＶデータをバス２８を介して取り込み、その後バス３６を介してＳＤＲＡＭ３８に書き込む。バッファ２６ａの読み出しクロックレートは書き込みクロックレートの４倍に設定され、バス２８及び３６は、バッファ２６ａからＳＤＲＡＭ３８へのＹＵＶデータの転送に、全体の１／４の期間が占有される。
【００１６】
ここで、ＳＤＲＡＭ３８への書き込み動作を図２を用いて具体的に説明する。信号処理回路２２に含まれる読み出しリクエスト発生回路２２ｂは、所定タイミングで読み出しリクエストを発生する。ＮＴＳＣエンコーダ４２に含まれる書き込みリクエスト発生回路４２ｂもまた、所定タイミングで書き込みリクエストを発生する。
【００１７】
スルー画像の出力時、ＣＰＵ４６は、ＡＮＤ回路２２ｃおよび４２ｃにハイレベルのゲート信号を与える。これによってゲートが開かれ、読み出しリクエストおよび書き込みリクエストがメモリ制御回路３０内の調停回路３０ａに入力される。調停回路３０ａは各リクエストを調停し、いずれかのリクエストに応えるべく、処理回路３０ｂに所定のスタート信号を出力する。
【００１８】
読み出しリクエストを処理するときは、バッファ制御回路３２ａが、スタート信号に応答してアドレス信号をバッファ２６ａに与え、バッファ２６ａからＹＵＶデータを読み出す。読み出されたＹＵＶデータは、バス２８を介して処理回路３０ｂに取り込まれる。ＳＤＲＡＭ書き込み回路３４ａは、取り込まれたＹＵＶデータをバス３６を介してＳＤＲＡＭ３８に書き込む。バス２８および３６を常に占有すると他の処理ができない。このため、処理回路３０ｂは、６４画素分のＹＵＶデータの書き込みが完了する毎にエンド信号を調停回路３０ａに出力し、バス２８および３６を開放する。そして調停回路３２ａは次のリクエストの処理に移る。このようにして信号処理回路２２からの読み出しリクエストが複数回処理され、１フレーム分の低解像度ＹＵＶデータが１／１５秒かけてＳＤＲＡＭ３８に書き込まれる。
【００１９】
ＮＴＳＣエンコーダ４２からの書き込みリクエストを処理するとき、調停回路３０ａは、書き込みリクエストの入力に応答して所定のスタート信号を処理回路３０ｂに出力する。これに応じて、ＳＤＲＡＭ読み出し回路３４ｂがＹＵＶデータをＳＤＲＡＭ３８から読み出す。また、バッファ制御回路３２ｂが、ＳＤＲＡＭ３８から読み出されたＹＵＶデータをバッファ２６ｂに書き込む。処理回路３０ｂは、上述と同様に、６４画素分のＹＵＶデータの読み出しが完了した時点でエンド信号を発生する。これによって、バス２８および３６が開放される。このような処理を繰返し、１フレーム分の低解像度ＹＵＶデータが１／３０秒かけてＳＤＲＡＭ３８から読み出される。尚、バッファ２６ｂもまたデュアルポートのＳＲＡＭによって構成され、１２８画素分のＹＵＶデータを格納できるだけの容量を有する。
【００２０】
ＳＤＲＡＭ３８は、図３に示すようにバンクＡ及びバンクＢを含む。バンク切り換え回路４０は、ＳＧ１６から出力された垂直同期信号および水平同期信号に基づいて、１／１５秒毎にレベルが変化するバンク切り換えパルスを出力する。ＳＤＲＡＭ書き込み回路３４ａは、バンク切り換えパルスがハイレベルの時に書き込み先をバンクＡとし、バンク切り換えパルスがローレベルのときに書き込み先をバンクＢとする。一方、ＳＤＲＡＭ読み出し回路３４ｂは、バンク切り換えパルスがハイレベルのときに読み出し先をバンクＢとし、バンク切り換えパルスがローレベルのときに読み出し先をバンクＡとする。つまり、ＳＤＲＡＭ３８に対する書き込み動作及び読み出し動作は相補的に行われ、一方のバンクにデータが書き込まれているときは、他方のバンクからデータが読み出される。
【００２１】
上述のように、１フレームのＹＵＶデータの書き込みに１／１５秒必要となる一方、１フレームのＹＵＶデータの読み出しは１／３０秒で完了する。また、バンク切り換えパルスのレベルは、１／１５秒毎に変化する。このため、一方のバンクに現フレームのＹＵＶデータが書き込まれる間に、他方のバンクから前フレームのＹＵＶデータが２回繰り返して読み出される。このように、書き込みに要する時間と読み出しに要する時間とにずれがあるため、バンクが１つしかないと、読み出し走査が書き込み走査を追い越してしまう。すると、モニタ４３上に、水平方向に延びる線が現れてしまう。本実施例では、このような問題点を解消するために、ＳＤＲＡＭ３８にバンクを２つ形成し、各バンクに対する書き込み動作および読み出し動作を相補的に行なっている。
【００２２】
ＮＴＳＣエンコーダ４２に設けられたバッファ読み出し回路４２ａは、バッファ２６ｂに格納されたＹＵＶデータを書き込み時の１／４倍のクロックレートで読み出し、さらに、このＮＴＳＣエンコーダ４２は、読み出したＹＵＶデータを、ＮＴＳＣフォーマットでエンコードする。エンコードされたデータは内蔵のＤ／Ａ変換器でアナログ信号に変換され、モニタ４３に出力される。この結果、モニタ４３にスルー画像が表示される。
【００２３】
この状態で撮影者がレリーズボタン５４を押圧してＯＮ状態にすると、シスコン５２より制御信号が発せられ、ＣＰＵ４６は、スイッチＳＷ１を信号処理回路２２側の固定接点２５ｂに接続する。また、図２に示すＡＮＤ回路４２ｃへのゲート信号をローレベルに落とし、書き込みリクエストにゲートをかける。この結果、間引き回路２４並びにＳＤＲＡＭ読み出し回路３４ｂ及びバッファ制御回路３２ｂが不能化される。そして、信号処理回路２２から出力された高解像度ＹＵＶデータは、間引き処理を施されることなくバッファ２６ａに書き込まれる。高解像度ＹＵＶデータの画素数は低解像度ＹＵＶデータに比べて多く、これに比例してＳＤＲＡＭ３８への書き込みに要する時間も長くなる。しかし、ＳＤＲＡＭ３８からのデータの読み出しが中止された分だけバス２８及び３６の占有率が低下し、この低下分がＳＤＲＡＭ３８へのデータの書き込みに振り分けられる。このため、高解像度ＹＵＶデータのＳＤＲＡＭ３８への書き込み処理に破綻を生じることはない。
【００２４】
ところで、レリーズボタン５４は、撮影者が任意のタイミングで操作可能に構成され、撮影者がこのレリーズボタン５４を指にて押圧してＯＮ操作を為すと、この押圧力によりキャビネット内側に押し込まれ、この操作状態がシスコン５２にて検知され、指を離してＯＦＦ操作を為すと、押圧が解除されて元の位置に復帰し、同様にこの操作状態がシスコン５２にて検知される。尚、このレリーズボタン５４の構成は、ディジタルスチルカメラや銀塩カメラに極く一般に使用されるもので、特に特徴を有するものではない。
【００２５】
高解像度ＹＵＶデータのＳＤＲＡＭ３８への書き込みが完了すると、つまりレリーズボタン５４が押されて、この直後の垂直同期信号のタイミングから１／１５秒が経過すると、ＣＰＵ４６は、図２に示すＡＮＤ回路２２ｃへのゲート信号もローレベルに落とす。これによって、読み出しリクエストにもゲートがかけられ、ＳＤＲＡＭ３８への書き込み動作も中止される。
【００２６】
尚、スイッチＳＷ２は、レリーズボタン５４のＯＮ操作に応答して、ＣＰＵ４６の指示により黒画像発生回路４１に接続される固定接点２７ｂ側に切り換えられる。このため、ＮＴＳＣエンコーダ４２には、黒画像発生回路４１に予め格納されている黒画像データが与えられ、レリーズボタン５４のＯＮ操作と同時に黒画像がモニタ４３全体に表示される。
【００２７】
ＳＤＲＡＭ３８に格納された１フレームの高解像度ＹＵＶデータは、バッファ２６ｃを介してＪＰＥＧコーデック４５に与えられ、ＪＰＥＧ圧縮が施される。これによって得られた圧縮データは、ＳＤＲＡＭ３８に一旦書き込まれる。こうしてＳＤＲＡＭ３８に１フレーム分の圧縮データが蓄積されると、この圧縮データが画像ファイルとしてメモリカード５０に記録される。
【００２８】
メモリカード５０への圧縮データの記録処理が完了すると、レリーズボタン５４が押圧され続けているか否かがＣＰＵ４６にて判断され、ＯＮ状態が継続されている場合には、スイッチＳＷ２が固定接点２７ａ側に戻され、更にＡＮＤ回路４２ｃに与えるゲート信号のレベルもハイレベルに戻される。このため、ＳＤＲＡＭ３８に格納され、記録対象となった高解像度ＹＵＶデータがバッファ２６ｂに読み出され、モニタ４３の表示が黒画像からこの記録対象の高解像度ＹＵＶデータに該当するフリーズ画像（静止画画像）に切り換わる。
【００２９】
このフリーズ画像が表示されるとき、ＳＤＲＡＭ３８への書き込み処理は中止されたままであり、その分だけバス２８および３６に空きがある。従って、高解像度ＹＵＶデータの画素数が低解像度ＹＵＶデータより多いにもかかわらず、バッファ２６ｂの処理に破綻が生じることがない。このフリーズ画像のモニタ表示は、レリーズボタン５４を押圧してＯＮ状態を続ける間は継続される。
【００３０】
一方、記録対象の１フレーム分の圧縮データのメモリカード５０への記録が完了した時点で、ＣＰＵ４６にてレリーズボタン５４のＯＦＦ状態、即ち押圧状態が解除されていると判断された場合には、ＣＰＵ４６はスイッチＳＷ１を固定接点２５ａ側に切り換え、間引き回路２４出力を選択するように動作し、次いでメモリ制御回路３０は入力される間引き回路２４からの低解像度ＹＵＶデータのＳＤＲＡＭ３８への書き込みを再開する。また、ＣＰＵ４６からはスイッチＳＷ１の固定接点２５ａ側への切換えの指令を発した後に、所定の遅延時間後にスイッチＳＷ２に固定接点２７ａへの切換えの指令が発せられ、これを受けてスイッチＳＷ２は固定接点２７ａに接続され、黒画像によるミュート状態が解除されて元のカメラモードに復帰して、順次入力される低解像度ＹＵＶデータがモニタ４３に表示されることになる。
【００３１】
ここで、所定の遅延時間は、スイッチＳＷ１の固定接点２５ａへの切換え後に、少なくともＳＤＲＡＭ３８に新たな低解像度ＹＵＶデータの１フレーム分の書き込みが完全に完了できる時間を想定して予め設定されており、例えば２／１５秒あれば十分である。このように遅延時間を設けることにより、新たな低解像度ＹＵＶデータの格納が完了しないうちにスイッチＳＷ２が固定接点２７ａ側に切換わり、一瞬だけ記録対象となった高解像度ＹＵＶデータが表示されるという不都合を防いでいる。
【００３２】
このように、レリーズボタン５４の押圧操作が極く短時間で完了し、ＯＮ状態の継続時間が、高解像度ＹＵＶデータのＪＰＥＧコーデック４５での圧縮処理及びメモリカード５０への書き込み処理という記録処理に要する時間よりも短い場合には、高解像度ＹＵＶデータのモニタ表示は一切阻止され、迅速にモニタモードに復帰することになる。このモニタモードではいつでもレリーズボタンの新たなＯＮ操作が受け付け可能である。
【００３３】
尚、モニタ４３の解像度は、高解像度ＹＵＶデータおよび低解像度ＹＵＶデータのいずれよりも低い。このため、ＮＴＳＣエンコーダ４２は、高解像度ＹＵＶデータおよび低解像度ＹＵＶデータのそれぞれに、画素数に応じた間引き処理を施す。
【００３４】
次に図４及び図５のフローチャートを基にＣＰＵ４６の処理を具体的に説明する。まず、図４においてカメラモードにモード設定することで、ステップ５０にて、スイッチＳＷ１及びスイッチＳＷ２を夫々固定接点２５ａ、２７ａに切換える指令を発し、次いでステップＳ１で、カメラ信号処理ブロックのＤＭＡをスタートさせる。つまり、ＳＧ１６を起動し、ハイレベルのゲート信号を信号処理回路２２に与える。信号処理回路２２は低解像度ＹＵＶデータをバッファ２６ａに書き込むと共に、読み出しリクエストをメモリ制御回路３０に与える。この結果、低解像度ＹＵＶデータがＳＤＲＡＭ３８に書き込まれる。
【００３５】
ＣＰＵ４６は次に、ステップＳ３でエンコードブロックのＤＭＡをスタートさせる。つまり、ＮＴＳＣエンコーダ４２にハイレベルのゲート信号を与える。このため、書き込みリクエストがメモリ制御回路３０に与えられ、ＳＤＲＡＭ３８から読み出された低解像度ＹＵＶデータがバッファ２６ｂに書き込まれる。
【００３６】
ＮＴＳＣエンコーダ４２は更に、バッファ２６ｂに書き込まれた低解像度ＹＵＶデータを処理し、この結果、スルー画像がモニタ４３に表示される。
【００３７】
撮影者によりレリーズボタン５４が押圧されると、ＣＰＵ４６はステップＳ５で“ＹＥＳ”と判断する。このため、ステップＳ７でスイッチＳＷ１およびＳＷ２は夫々固定接点２５ｂ、２７ｂ側に切換えて、信号処理回路２２および黒画像発生回路４１に夫々接続し、ステップＳ９でＮＴＳＣエンコーダ４２に与えるゲート信号をローレベルに落とし、ＳＤＲＡＭ３８からのバッファ２６ｂへの読み出しが中止される。こうして、高解像度ＹＵＶデータがＳＤＲＡＭ３８に書き込まれ、モニタ４４には黒画像が表示される。
【００３８】
ステップＳ１１では、レリーズボタン５４が押圧された直後に得られる垂直同期信号のタイミングから１／１５秒が経過したかどうかを判断され、“ＹＥＳ”であれば、ステップＳ１３で信号処理回路２２に与えるゲート信号をハイレベルからローレベルに落とす。このため、ＳＤＲＡＭ３８への書き込み動作が中止される。
【００３９】
続いてステップＳ１５で高解像度ＹＵＶデータの圧縮及びメモリカード５０への記録という一連の記録処理が完了すると、図５のステップＳ１７で“ＹＥＳ”と判断してステップＳ１８に移行する。ステップＳ１８ではレリーズボタン５４の押圧が継続されてＯＮ状態が維持されているか否かの判断が為され、ＯＮ状態が継続されている場合には、ステップＳ１９およびＳ２１の夫々でスイッチＳＷ２を固定接点２７ａ側に戻すと共にＮＴＳＣエンコーダ４２に与えるゲート信号もハイレベルに戻す。従って、モニタ４３は黒画像のミュート状態が解除され、これに代わってフリーズ画像が表示されることになる。これ以降、ステップＳ１８に戻り、レリーズボタン５４の押圧が継続される間はステップＳ１９およびＳ２１を繰返すことでフリーズ画像のモニタ表示が継続される。
【００４０】
一方、ステップＳ１８においてレリーズボタン５４の押圧が解除されてＯＦＦ状態にあると判断された場合には、ステップＳ２５に移行してスイッチＳＷ１を固定接点２５ａ側に切り換えて間引き回路２４を選択し、ステップＳ２７で信号処理回路２２に与えるゲート信号のレベルを元に戻してＳＤＲＡＭ３８への書き込みを再開して低解像度ＹＵＶデータを書き込み、ステップＳ２８で所定の遅延時間が経過したと判定され、所定の遅延時間が経過していると、ステップＳ２９でスイッチＳＷ２を固定接点２７ａ側に切り換えて、ＳＤＲＡＭ３８に格納された低解像度ＹＵＶデータをＮＴＳＣエンコーダ４２に供給するようにして、ステップＳ５に戻る。この結果、間引き回路２４から順次得られる低解像度ＹＵＶデータが再びモニタ４３に表示される。
【００４１】
前記実施例では、信号処理回路２２は、常時作動状態にあるとして説明したが、不要な時間、即ち記録処理に伴いＳＤＲＡＭ３８への新たな画像データの書き込みが中止されている間は、非作動状態としても問題がないことは言うまでもない。
【００４２】
また、ＣＣＤイメージャ１２に装着される色フィルタは原色系に限定されず、例えばイエロー、シアン、マジェンダ、グリーンの補色系を用いてもよい。また、モニタ４３はディジタルカメラ本体に装着されるものに限らず、ケーブルにより接続された外部モニタを用いてもよい。
【００４３】
更に前記実施例でのレリーズボタン５４は、撮影者が指で押圧操作を継続している間はＯＮ状態が維持され、押圧を解除すると、ばね等の付勢力により元の位置に復帰してＯＦＦ状態となる形式のものを前提に説明したが、これに限定されるものではなく、例えば一度押圧してＯＮ状態とした後に、押圧を解除してもＯＮ状態が継続され、再度押圧してこの押圧を解除した時にはじめてＯＦＦ状態となる形式のものにも対応可能であることは言うまでもない。
【００４４】
また、黒画像発生回路４１に代えてブルーバックデータを発するキャラクタジェネレータを用いてもよい。
【００４５】
更に、高解像度の画像データを低解像度のデータにする際に、間引き回路２４で間引き処理する代わりに、垂直方向に限り、ＣＣＤイメージャの動作をモニター時と画像記録時とで切り換えて、ＣＣＤイメージャの出力段階で２種類の画像データを作成するようにすることも可能である。
【００４６】
【発明の効果】
上述の如く本発明によれば、レリーズボタンのＯＮ操作継続時間に応じて、記録対象となった画像データのモニタ手段での確認時間を任意に変更することができるので、記録画像データを十分に長い時間確認することが可能となるだけでなく、速やかに次の撮影を実行することに重点を置き、特に記録画像データの確認作業を要しない場合には、記録画像データのモニタ表示を極力短くできる。
【００４７】
また、ＯＮ操作継続時間を記録処理時間より短くすると、記録画像データのモニタ表示を阻止することも可能となり、次画面の撮影に高速で移行でき、新たなシャッタチャンスを逃すことが防止できる。
【図面の簡単な説明】
【図１】本発明の一実施例のディジタルカメラのブロック図である。
【図２】図１の実施例の一部を示すブロック図である。
【図３】本発明の一実施例のＳＤＲＡＭを示す図解図である。
【図４】図１の実施例の動作の一部を示すフローチャートである。
【図５】図１の実施例の動作の他の一部を示すフローチャートである。
【符号の説明】
１２ＣＣＤイメージャ
３０  メモリ制御回路
３８ＳＤＲＡＭ
４３  モニタ
４５  ＪＰＥＧコーデック
４６  ＣＰＵ
５０  メモリカード
５４  レリーズボタン
【図１】
0003877474.tif 000002
【図２】
0003877474.tif 000003
【図３】
0003877474.tif 000004
【図４】
0003877474.tif 000005
【図５】
0003877474.tif 000006